(57)【要約】【課題】トラックの荷台シートを、簡単な構造でしかも取り扱いが簡便で、且つ迅速に荷台に掛けたり開放したりして、雨水や雪等の重みで窪みとならない様に確実に支持す堅牢機構の荷台カバー装置を提供する【解決手段】トラックにおいて、前部パネル枠と後部パネル枠の各々に、対向するロールガイドを形成したアーチ状のシュータを固定し、前記シュータ間に亘って位置し且つ荷台幅方向を折畳方向とするアコーディオン式開閉カバーを有し、アコーディオン式開閉カバー400の折畳方向の両端部に保持枠を設け、その中間にアコーディオン山部を支持する長尺支持ポールを設け、保持枠の一方501を開閉操作用にして側パネル枠に着脱可能な連結具を有し、他方を他方の側パネルにカバー収容部に固定支持し、前記開閉操作用の保持枠および長尺支持ポールの前後各々にロールを設け、このロールを前記各シュータロールガイドに同ガイドに沿って移動可能に装入支持したことを特徴とするトラックの荷台カバー装置。【選択図】    図１
0003154035.tif 000002
【実用新案登録請求の範囲】
【請求項１】
荷台を底部パネル101とその四周の前部パネル枠102と後部パネル枠103と両側パネル枠104,105により構成したトラックにおいて、前部パネル枠102と後部パネル枠103の各々に、対向するロールガイド201、301を形成したアーチ状のシュータ200、300を固定し、前記シュータ200,300間に亘って位置し且つ荷台幅方向を折畳方向とするアコーディオン式開閉カバー400を有し、アコーディオン式開閉カバー400の折畳方向の両端部に保持枠501,502を設け、その中間にアコーディオン山部401を支持する長尺支持ポール600を単数又は複数本設け、保持枠の一方501を開閉操作用にして一方の側パネル104に着脱可能な連結具を有し、他方を他方の側パネル105に固定支持し又は他方の側パネル105に設けたカバー収容部700内に固定支持し、前記開閉操作用の保持枠501および長尺支持ポール600の前後各々にロール801,802を設け、このロール801,802を前記各シュータ200、300のロールガイド201、301に同ガイドに沿って移動可能に装入支持したことを特徴とするトラックの荷台カバー装置。
【請求項２】
荷台を底部パネル101とその四周の前部パネル枠102と後部パネル枠103と両側パネル枠104、105により構成したトラックにおいて、前部パネル枠102と後部パネル枠103の各々に、対向するロールガイド201,301を形成したアーチ状のシュータ200、300を固定し、前記シュータ200、300間の両片側に各々位置し且つ荷台幅方向を折畳方向とする一対のアコーディオン式開閉カバー400Ａ、400Ｂを有し、各アコーディオン式開閉カバー400Ａ、400Ｂは、その折畳方向の両端部に保持枠501Ａ，501Ｂ、502Ａ，502Ｂを設け、その中間にアコーディオン山部401Ａ，401Ｂを支持する長尺支持ポール600Ａ，600Ｂを単数又は複数本設け、各アコーディオン式開閉カバー400Ａ、400Ｂの接近可能同士の保持枠501Ａ，501Ｂを開閉操作用にし且つ互いに着脱可能な連結具を有し、他方の保持枠502Ａ，502Ｂを当該側パネル104,105に固定支持し又は当該側パネル104,105に設けたカバー収容部700Ａ，700Ｂ内に固定支持し、前記開閉操作用の保持枠501Ａ，501Ｂおよび長尺支持ポール600Ａ，600Ｂの前後各々にロール201Ａ，201Ｂ、301Ａ，301Ｂを設け、このロール201Ａ，201Ｂ、301Ａ，301Ｂを前記各シュータ200、300のロールガイド201,301内にガイドに沿って移動可能に装入支持したことを特徴とするトラックの荷台カバー装置。
【請求項３】
荷台を底部パネル101とその四周の前部パネル枠102と後部パネル枠103と両側パネル枠104,105により構成したトラックにおいて、両側パネル枠104,105の各々に、ロールガイドを形成した直線状のシュータを固定し、前記シュータ間に亘って位置し且つ荷台前後方向を折畳方向とする逆Ｕ型のアコーディオン式開閉カバーを有し、アコーディオン式開閉カバーの折畳方向の両端部に前保持枠と後保持枠を設け、その中間にアコーディオン山部を支持する逆Ｕ型の支持ポールを複数本設け、前保持枠を前部パネル枠102に固定支持し、後保持枠を開閉操作用にし、前記開閉操作用の後保持枠および長尺支持ポールの左右各々にロールを設け、このロールを前記各シュータのロールガイドに同ガイドに沿って移動可能に装入支持したことを特徴とするトラックの荷台カバー装置。
【考案の詳細な説明】
【技術分野】
【０００１】
本考案は、主に軽トラック等のトラックの荷台カバー装置に関するものである。
【背景技術】
【０００２】
例えば軽トラックは、その荷台に、手軽に各種の道具や材料などを積載して運搬する利便さが良いため、重宝なものとして広く活用されている。
そこで、この荷台については、荷台の近傍から荷台への道具や材料の搬出入が容易であることを前提として、主に次の機能が要求されている。
荷台からの道具や材料が搬送中に落下しないこと。
荷台にある道具や材料が雨水や雪で濡れないこと。
荷台にある道具や材料が外部からの汚物で汚損しないこと。
このために、軽トラックの荷台にはカバーが設けられる。
そして軽トラックの荷台カバーの機能としては、迅速な開閉機能、簡単な機構で軽量且つ簡便な取り扱い性、製作費の低廉化などが要求される。
しかし、従来の軽トラックの荷台カバーは、
○特別注文仕様で、多数の逆Ｕ字型の骨の両脚部を荷台両側の開閉パネル枠の上端部に竪配列し、これに幌を掛けた大型固定式の幌式カバー装置があるが、製作費用が高額で、しかもカバーの取り外しが煩雑で時間が掛かる。また荷台に収容する物も限定される。
○一般向けとして、安価な平面カバーの各辺端縁に多数のゴム輪を所定間隔で取り付け、荷台の前後左右の開閉パネル枠の上端部に所定間隔で設けた多数のフックに該ゴム輪を掛けて荷台をスッポリ覆う張設式のものがあるが、平らな状態でシートを張設するので、雨水や雪等の重みで窪みとなりその結果、シート胴部を通して水漏れが生じ内部の積み荷を濡らすことになるので、専ら荷落ち防止と埃除けが主であり汎用性に欠ける。
○特開2000-00000号公報に記載のように、荷台前端部から後端部までを一本のベルトを引き伸ばし差し込んで、荷台シートを前上がり状に傾斜した状態に支持させる貨物自動車ワンタッチシートチェンジベルトがある。これは高価で且つ簡易性に欠ける
【考案の開示】
【考案が解決しようとする課題】
【０００３】
本考案は、前記の欠点をなくする事を目的とし、トラックの荷台シートを、簡単な構造でしかも取り扱いが簡便で、且つ迅速に荷台に掛けたり開放したりして、雨水や雪等の重みで窪みとならない様に確実に支持す堅牢機構の荷台カバー装置を提供する事にある。
【課題を解決するための手段】
【０００４】
本考案は貨物自動車の荷台に容易に取り付ける事が出来、荷台前端部と後端部に亘るジャバラカバーを荷台の一側端部から他側端部との間を開閉する、又は両側端部から荷台中央部との間を開閉するトラックの荷台カバー装置であり、その特徴とする手段は次の(1)、(2)の通りである。
(1)、図１〜図７において、荷台を底部パネル101とその四周の前部パネル枠102と後部パネル枠103と両側パネル枠104,105により構成したトラックにおいて、前部パネル枠102と後部パネル枠103の各々に、対向するロールガイド201、301を形成したアーチ状のシュータ200、300を固定し、前記シュータ200,300間に亘って位置し且つ荷台幅方向を折畳方向とするアコーディオン式開閉カバー400を有し、アコーディオン式開閉カバー400の折畳方向の両端部に保持枠501,502を設け、その中間にアコーディオン山部401を支持する長尺支持ポール600を単数又は複数本設け、保持枠の一方501を開閉操作用にして一方の側パネル104に着脱可能な連結具を有し、他方を他方の側パネル105に固定支持し又は他方の側パネル105に設けたカバー収容部700内に固定支持し、前記開閉操作用の保持枠501および長尺支持ポール600の前後各々にロール801,802を設け、このロール801,802を前記各シュータ200、300のロールガイド201、301に同ガイドに沿って移動可能に装入支持したことを特徴とするトラックの荷台カバー装置。
(2)、荷台を底部パネル101とその四周の前部パネル枠102と後部パネル枠103と両側パネル枠104、105により構成したトラックにおいて、前部パネル枠102と後部パネル枠103の各々に、対向するロールガイド201,301を形成したアーチ状のシュータ200、300を固定し、図８に示すように、前記シュータ200、300間の両片側に各々位置し且つ荷台幅方向を折畳方向とする一対のアコーディオン式開閉カバー400Ａ、400Ｂを有し、各アコーディオン式開閉カバー400Ａ、400Ｂは、その折畳方向の両端部に保持枠501Ａ，501Ｂ、502Ａ，502Ｂを設け、その中間にアコーディオン山部401Ａ，401Ｂを支持する長尺支持ポール600Ａ，600Ｂを単数又は複数本設け、各アコーディオン式開閉カバー400Ａ、400Ｂの接近可能同士の保持枠501Ａ，501Ｂを開閉操作用にし且つ互いに着脱可能な連結具を有し、他方の保持枠502Ａ，502Ｂを当該側パネル104,105に固定支持し又は当該側パネル104,105に設けたカバー収容部700Ａ，700Ｂ内に固定支持し、前記開閉操作用の保持枠501Ａ，501Ｂおよび長尺支持ポール600Ａ，600Ｂの前後各々にロール801Ａ，801Ｂ、802Ａ，802Ｂを設け、このロール801Ａ，801Ｂ、802Ａ，802Ｂを前記各シュータ200、300のロールガイド201,301内にガイドに沿って移動可能に装入支持したことを特徴とするトラックの荷台カバー装置。
(3)、荷台を底部パネル101とその四周の前部パネル枠102と後部パネル枠103と両側パネル枠104,105により構成したトラックにおいて、両側パネル枠104,105の各々に、対向するロールガイドを形成した直線状のシュータを固定し、前記シュータ間に亘って位置し且つ荷台前後方向を折畳方向とする逆Ｕ型のアコーディオン式開閉カバーを有し、アコーディオン式開閉カバーの折畳方向の両端部に前保持枠と後保持枠を設け、その中間にアコーディオン山部を支持する逆Ｕ型の支持ポールを複数本設け、前保持枠を前部パネル枠102に固定支持し、後保持枠を開閉操作用にして後パネル102に着脱可能な連結具を有し、前記開閉操作用の後保持枠および長尺支持ポールの左右各々にロールを設け、このロールを前記各シュータのロールガイドに同ガイドに沿って移動可能に装入支持したことを特徴とするトラックの荷台カバー装置。
【考案の効果】
【０００５】
本考案は、前記(1)〜(3)の簡単な構成により、開閉操作用の保持枠をシュータに沿って移動操作するのみで、軽トラック等の荷台を、その一側から又は両側から、アコーディオン式開閉カバーによる荷台のカバーとその解除を迅速確実且つ簡単安全に実施することができる。このため荷台に対する通常の機材出し入れの都度の開閉が苦にならずにタイムリーに実施でき防犯にも役立つ。
前記(1) と(2)のアーチ状のシュータは、前部パネル枠側を後部パネル枠側と等高もしくは後部パネル枠高さより高くしてアコーディオン式開閉カバーを前高に傾斜させ、且つロールガイドの上部を下部より庇状に突出させて、アコーディオン式開閉カバーの前・後端部をシュータの上部庇内に位置させれば荷台内への雨侵入を容易に防止することができる。
またアコーディオン式開閉カバーのスプリング効果を利用して、開閉操作用の保持枠を手から離せば固定してある保持枠側に自力で戻って荷台が直ぐオープン状態にすることも出来、簡便さの効果が大きい。
また長尺支持ポールの間隔で荷台をカバーした際のアコーディオンのアーチ形状が決まるから、シュータのアーチ形状をこのアコーディオンのアーチ形状と同一にすれば雨侵入の防止を確実なものにすることができる。
単数又は複数本の直設状も長尺支持ポール又は逆Ｕ型の支持ポールで逆Ｕ型のアコーディオン山部を支持するため、一段と強度が向上し折れることも無く寿命が長期に確保される。
【考案を実施するための最良の形態】
【０００６】
本考案を実施するための最良の形態を以下に紹介の実施例により詳細に説明する。
尚、本考案において、アコーディオン式開閉カバーとは、山谷を交互に形成した折畳式のアコーディオン式開閉カバーにしたが、これに代わるものとして通常のフレキシブルにした合成樹脂製、植物繊維製、これ等の混紡繊維製のテント生地を用いても一向に差し支えない。
また、前記(1)、(2)において、アーチ状のシュータは、前部パネル枠側を後部パネル枠高さより高くしてアコーディオン式開閉カバーを前高に傾斜させた場合は、長尺支持ポールとカバーが中央部などでトラック長さ方向に折畳自由な構造にすれば直線状に平行して設けてよいが、長尺支持ポールとカバー幅を一定に固定した場合は、前部及び又は後部のシュータはそのロールガイド形状を円弧状にしてロールとアコーディオン式開閉カバーの端部が外れないようにすればよい。前記(3)におけるシュータは平行配置でよい。
本考案において、開閉操作用の保持枠と荷台のパネルとの着脱連結機構としては、頻繁な開閉用に或いは長時間の開閉用として、永久磁石板と非磁性体板を用いたマグネット式の吸着機構、ロックアームとフックを用いたカンダハ式のデットポイント機構、ゴムバンド式止連結機構、単なる掛け紐式連結機構など適宜な公知の着脱連結機構を任意に選択採用することが出来る。
【実施例１】
【０００７】
実施例１を図１、図２−１、図２−２図３、図４に示しその変形例を図５、図６図７に示す。
図１は本例の平面説明図であり、シュータ200、300とアコーディオン式開閉カバー400とカバー収容部700を平面展開して判り易く示し、シュータ200内に位置するロール801、802などはシュータ200を透明にして見易いようにしてある。
図２−１は、図１の矢視Ａ−Ａから見た縦断面説明図である。図２−２は図２−１の要部の拡大説明図である。図３−１は図１の矢視Ｂ−Ｂからの横断面説明図である。図３−２と図３−３は図３−１の要部の拡大図である。図４は、図１の矢視Ｃ−Ｃからの横断面説明図である。
図１、図２−１、図２−２、図３−１、図３−２、図３−３、図４において、軽トラックは荷台を底部パネル101とその四周の前部パネル枠102と後部パネル枠103と両側パネル枠104、105により構成してある。
この軽トラックの荷台カバー装置は、前部パネル枠102と後部パネル枠103の各々に固定したアーチ状のシュータ200、300と、前記シュータ間に亘り位置し且つ荷台幅方向を折畳方向とするアコーディオン式開閉カバー400とからなる。
アコーディオン式開閉カバー400は、折畳方向の両端部に保持枠501、502を設け、その中間にアコーディオン山部401を接合支持するアルミパイプ製の長尺支持ポール600を複数本設け、保持枠は一方501を開閉操作用にして一方の側パネル104に設けたカンダハRで着脱可能に連結する。他方502を他方の側パネル105に固定支持し又は他方の側パネルに設けたカバー収容部700内に固定支持し、前記開閉操作用の保持枠501および長尺支持ポール600の前後各々にロール801,802を回転自在に軸支し、このロール801,802を前記各シュータ200、300のロールガイド201,301（溝状）内に同ガイドに沿って移動可能に装入支持してある。
開閉操作用の保持枠501は、図３−３に拡大して示すように、操作用の取っ手Ｔを設け、また側パネル枠に設けた磁性体に吸着する磁石Ｍを簡易着脱機構として設けてある。取っ手Ｔは側パネル104に設けたカンダハRのフックFの先端を掛ける溝Sを有する。
段違いにした両シュータ200、300は互いに対向するロールガイド201,301を有し、高めにした前部側のシュータ200は、省略して直線にしてるが、そのロールガイド201の先端縁の形状を円弧状にしてシュータ300のロールガイド301の先端縁との最短距離を等間隔にして各長尺支持ポール600の長さを一定にしてある。ロールガイド201,301は、図２−２に拡大して示すように上庇201a,301aと下顎201b,301bとによりコ字状に形成し、長尺支持ポール600で支持したロール801,802を収容しガイドするものである。またアコーディオン式開閉カバー400に長尺支持ポール600の間隔で荷台をカバーした際のアコーディオン400のアーチ形状と同一アーチ形状にして、特に上庇201a,301aでアコーディオン400端部の上側を覆い雨侵入の防止を確実なものにしてある。
側パネル105に設けたアコーディオン式開閉カバー400を畳み収容するカバー収容部700は、図３−１に示すように保持枠502を底部に固定し、適宜な底部位置に水抜き孔を設けて腐食を防ぎ、またアコーディオン式開閉カバー400を閉じる際は、図３−２拡大して示すようにアコーディオン式開閉カバー400を折り畳み状にしてロール801,802と長尺支持ポール600と共に収容し、収容後は開閉操作用の保持枠501でその蓋の役目を機能させている。
図５〜図７には、長尺支持ポール600を適宜に間引いた例を紹介してある。
この各例は、長尺支持ポール600の配置位置関係で、アコーディオン式開閉カバー400を閉じた際のそのアーチ形状に合わせてシュータ200、300のアーチ形状を設定した例である。形状の変形を除き、同一部分には同一符号を付して詳細な説明は省略する。
図５は、図１〜図４の例における長尺支持ポール600を一本置きに間引いた例である。図６は、図５の例における長尺支持ポール600を一本置きに間引いた例である。図７は、図１〜図４の例における長尺支持ポール600を中央部にのみ配置した例である。
【実施例２】
【０００８】
実施例２は実施例１と略同一の軽トラックであり、荷台を底部パネルとその四周の前部パネル枠と後部パネル枠と両側パネル枠により構成してある。そして実施例１との違いを図８、図９にてのみ示し、その他記載の無い部分は前例と同一なのでその名称と符号を援用して説明する。
図８は、図２−１と同様に図１の矢視Ａ−Ａから見た縦断面の変形実施例の説明図である。
この軽トラックの荷台カバー装置は、前部パネル枠102と後部パネル枠103の各々に固定したアーチ状のシュータ200,300と、前記シュータ200,300間で且つ荷台幅方向の各片側の各々に位置し、荷台幅方向を折畳方向とする一対のアコーディオン式開閉カバー400Ａ，400Ｂとからなる。
各アコーディオン式開閉カバー400Ａ，400Ｂは、その折畳方向の両端部に保持枠501Ａ，502Ａ，501Ｂ，502Ｂを設け、その中間にアコーディオン山部401Ａ，401Ｂを支持する長尺支持ポール600Ａ，600Ｂを複数本設け、各アコーディオン式開閉カバー400Ａ，400Ｂの接近可能同士の保持枠501Ａ，501Ｂを開閉操作用にし且つ図９に示すように互いに着脱可能な連結構造にし、他方の保持枠502Ａ，502Ｂを当該側パネル104,105に固定支持し又は当該側パネルに設けたカバー収容部700Ａ，700Ｂ内に固定支持し、前記開閉操作用の保持枠502Ａ，502Ｂおよび長尺支持ポール600Ａ，600Ｂの前後各々にロール801Ａ，801Ｂ、802Ａ，802Ｂを設け、このロール801Ａ，801Ｂ、802Ａ，802Ｂを前記各シュータ200,300のロールガイド201、301内に同ガイドに沿って移動可能に装入支持してある。
開閉操作用の保持枠501Ａ，501Ｂは、操作用の取っ手を設けてある。又、図9に示すように、磁性体の凹部溝Ｍ1，Ｍ2付と、磁石式の凸部突条Ｍ3，Ｍ4にした嵌め合いシール式着脱機構として雨の浸入防止機能を付してある。  
前記両シュータ200,300は、前例の図２に示す構造と同一であり符号は省略するが、開口部を互いに対向するロールガイドを形成し、ロールガイドは上部庇と下部顎とにより形成した横断面コ字状にし、長尺支持ポールで支持したロールを収容しガイドするものである。またアコーディオン式開閉カバーに長尺支持ポールの間隔で荷台をカバーした際のアコーディオンのアーチ形状と同一のアーチ形状にしてアコーディオン前後端部との離間間隙を小さくして雨侵入の防止を確実なものにしてある。
【実施例３】
【０００９】
実施例３は、図１０〜図１３に示し、前記（3）の特徴のトラックの荷台カバー装置の例である。
図１０は、一部図１２の矢視E-Eからの縦断面説明図であり、図１１は、図１０のおけるはアコーディオン式開閉カバー910を畳んで開放した状態を示す。図１２は図１０の矢視G-Gからの横断面説明図であり、図１３は図１２に示す部分の変形例を示す横断面説明図である。
図１０〜図１３において、荷台を底部パネル101とその四周の前部パネル枠102と後部パネル枠103と両側パネル枠104,105により構成した軽トラックにおいて、両側パネル枠104,105の各々内側に、ロールガイド901を形成した直線状のシュータ900を固定し、前記シュータ900間に亘って位置し且つ荷台前後方向を折畳方向とするアコーディオン式開閉カバー910を有し、アコーディオン式開閉カバー910の折畳方向の両端部に前保持枠920と後保持枠930を設け、その中間にアコーディオン山部911を支持する逆Ｕ型の支持ポール940を複数本設け、前保持枠920を前部パネル枠102に固定支持し、後保持枠930を開閉操作用にし、前記開閉操作用の後保持枠930および支持ポール940の左右各々の下部にロール950を設け、このロール950を前記各シュータ900のロールガイド901に同ガイドに沿って移動可能に装入支持してある。アコーディオン式開閉カバー910を閉めた後の後保持枠930は、後部パネル枠103に適宜な留め金などで固定する。
アコーディオン式開閉カバー910は、外側で、両側パネル枠104,105の上端部より上近傍部に柔らかいスカート960を装着して下げ、横からの浸水を防止する。
以上の実施例ではカバー本体は、アコーディオン式開閉カバーにしたが、これに代わるものとして通常の合成樹脂製、植物繊維製、これ等の混紡繊維製のテント生地を用いても一向に差し支えない。
図１３は、シュータ900を両側パネル枠104,105の各々外側に、直線状に設置した例を示す、この例は前例のスカート960は必ずしも必要としない。
【産業上の利用可能性】
【００１０】
本考案のトラックの荷台カバー装置は、前述した通り、開閉操作用の保持枠をシュータに沿って操作するのみで、軽トラックの荷台を、その一側から又は両側から、アコーディオン式開閉カバーによる荷台のカバーとその解除を迅速確実且つ簡単安全に実施することができる等の優れた効果を呈し、軽トラックを活用する運送業、建築業、土木業等の作業効率を格段に高めるものでこの種産業に多大な貢献をすることができるものである。
【図面の簡単な説明】
【００１１】
【図１】本例の平面説明図であり、シュータ200、300とアコーディオン式開閉カバー400とカバー収容部700を展開して示し、シュータ200内に位置するロール801、802などはシュータ200を透明にして見易いようにしてある。尚シュータ等の要部は分かり易いように大き目に表示しているが、実際は小さく製作することになる。以下の図においても同様である。
【図２−１】図１の矢視Ａ−Ａから見た縦断面説明図である。
【図２−２】図２−１の要部の拡大説明図である。
【図３−１】図３−１の要部の拡大図である。
【図３−２】図３−１の要部の拡大図である。
【図３−３】図３−１の要部の拡大図である。
【図４】図１の矢視Ｃ−Ｃからの横断面説明図である。
【図５】図１〜図４の例における長尺支持ポール600を一本置きに間引いた例である。
【図６】図５の例における長尺支持ポール600を一本置きに間引いた例である。
【図７】図１〜図４の例における長尺支持ポール600を中央部にのみ配置した例である。
【図８】実施例２の平面説明図であり、シュータ200、300とアコーディオン式開閉カバー400とカバー収容部700を展開して示し、シュータ200内に位置するロール801、802などはシュータ200を透明にして見易いようにしてある。
【図９】図８の要部の拡大図である。
【図１０】実施例３の図であり、一部図１２の矢視E−Eからの縦断面説明図である。
【図１１】図１０のおけるはアコーディオン式開閉カバー910を畳んで開放した状態を示す。
【図１２】図１０の矢視F-Fからの横断面説明図である。
【図１３】図１２に示す部分の変形例を示す横断面説明図である。
【符号の説明】
【００１２】
101・・・・・・・・・・・・・・・・・・・底部パネル
102・・・・・・・・・・・・・・・・・・・前部パネル枠
103・・・・・・・・・・・・・・・・・・・後部パネル枠
104、105・・・・・・・・・・・・・・・・ パネル枠
200、300、900・・・・・・・・・・・・・・シュータ
ア400、400Ａ，400Ｂ、910・・・・・・・・ コーディオン式開閉カバー
501、502  501Ａ，501Ｂ、502Ａ，502Ｂ930、920・・・保持枠
600600Ａ，600Ｂ、940・・・・・・・・・・・長尺支持ポール
700・・・・・・・・・・・・・・・・・・・ カバー収容部
801,802、801Ａ，801Ｂ、802Ａ，802Ｂ・・・ロール
201a,301a・・・・・・・・・・・・・・・・ 庇
201b,301b・・・・・・・・・・・・・・・・下顎
960・・・・・・・・・・・・・・・・・・・スカート
【図１】
0003154035.tif 000003
【図２−１】
0003154035.tif 000004
【図２−２】
0003154035.tif 000005
【図３−１】
0003154035.tif 000006
【図３−２】
0003154035.tif 000007
【図３−３】
0003154035.tif 000008
【図４】
0003154035.tif 000009
【図５】
0003154035.tif 000010
【図６】
0003154035.tif 000011
【図７】
0003154035.tif 000012
【図８】
0003154035.tif 000013
【図９】
0003154035.tif 000014
【図１０】
0003154035.tif 000015
【図１１】
0003154035.tif 000016
【図１２】
0003154035.tif 000017
【図１３】
0003154035.tif 000018